(57)【特許請求の範囲】
【請求項１】
セルラ・ネットワークのサービング基地局（１）から新しい基地局への移動局（２０〜２３）のハンドオーバを機能強化する方法であって、前記新しい基地局は、その無線カバレージ・セル（ｒ２〜ｒ８）が前記サービング基地局（１）の無線カバレージ・セル（ｒ１）とオーバーラップする隣接基地局を含む隣接リストの中で選択され、前記方法は、
前記サービング基地局（１）で、前記サービング基地局（１）の前記無線カバレージ・セル（ｒ１）内の前記移動局（２０〜２３）の位置を判定するステップと、
前記位置に基づく減らされた隣接リストを前記移動局（２０〜２３）に送信するステップとを含み、
前記移動局（２０〜２３）の前記位置を判定する前記ステップが、
前記サービング基地局（１）の前記無線カバレージ・セル（ｒ１）を複数のセクタ（ｓ１〜ｓ３）に区分するサブステップと、
前記複数のセクタ（ｓ１〜ｓ３）の中で前記移動局（２０〜２３）がその中に配置されている現在のセクタ（ｓ１〜ｓ３）を判定するサブステップとを含み、
前記減らされた隣接リストは、その前記無線カバレージ・セル（ｒ２〜ｒ８）が前記現在のセクタ（ｓ１〜ｓ３）とオーバーラップする前記隣接基地局だけを含み、
前記サービング基地局（１）の前記無線カバレージ・セル（ｒ１）が少なくとも１つの指向性送信／受信アンテナの無線カバレージ・ビームに対応し、前記無線カバレージ・ビームが主軸（ａ１）に沿って延び、前記無線カバレージ・ビームは、前記主軸（ａ１）に沿って前記指向性送信／受信アンテナに関して同心で延びる一連のリング部分に区分され、前記無線カバレージ・ビームを区分する前記複数のセクタ（ｓ１〜ｓ３）のそれぞれは前記リング部分のうちの１つに対応し、前記現在のセクタ（ｓ１〜ｓ３）は前記移動局（２０〜２３）と前記指向性送信／受信アンテナとの間の距離の推定値に基づいて判定される、方法。
【請求項２】
セルラ・ネットワークのサービング基地局（１）から新しい基地局への移動局（２０〜２３）のハンドオーバを機能強化する方法であって、前記新しい基地局は、その無線カバレージ・セル（ｒ２〜ｒ８）が前記サービング基地局（１）の無線カバレージ・セル（ｒ１）とオーバーラップする隣接基地局を含む隣接リストの中で選択され、前記方法は、
前記サービング基地局（１）で、前記サービング基地局（１）の前記無線カバレージ・セル（ｒ１）内の前記移動局（２０〜２３）の位置を判定するステップと、
前記位置に基づく減らされた隣接リストを前記移動局（２０〜２３）に送信するステップとを含み、
前記移動局（２０〜２３）の前記位置を判定する前記ステップが、
前記サービング基地局（１）の前記無線カバレージ・セル（ｒ１）を複数のセクタ（ｓ１〜ｓ６）に区分するサブステップと、
前記複数のセクタ（ｓ１〜ｓ６）の中で前記移動局（２０〜２３）がその中に配置されている現在のセクタ（ｓ１〜ｓ６）を判定するサブステップとを含み、
前記減らされた隣接リストは、その前記無線カバレージ・セル（ｒ２〜ｒ８）が前記現在のセクタ（ｓ１〜ｓ６）とオーバーラップする前記隣接基地局だけを含み、
前記サービング基地局（１）の前記無線カバレージ・セル（ｒ１）が少なくとも１つの指向性送信／受信アンテナの無線カバレージ・ビームに対応し、前記無線カバレージ・ビームが主軸（ａ１）に沿って延び、前記無線カバレージ・ビームは、前記主軸（ａ１）に沿って前記指向性送信／受信アンテナに関して同心で延びる一連のリング部分に区分され、前記無線カバレージ・ビームを区分する前記複数のセクタ（ｓ１〜ｓ６）のそれぞれは前記主軸（ａ１）に関する前記リング部分のうちの１つの半分の部分に対応し、前記現在のセクタ（ｓ１〜ｓ６）は、前記移動局（２０〜２３）と前記指向性送信／受信アンテナとの間の角度の推定値と距離の推定値とに基づいて判定される、方法。
【請求項３】
前記距離の前記推定値は、前記移動局（２０〜２３）によって前記サービング基地局（１）に送信される信号強度測定の結果に基づく、請求項１または２に記載の方法。
【請求項４】
前記指向性送信／受信アンテナが、ビームフォーミング技法に従って送信／受信を実行するように適合された放射要素のアレイを含み、前記角度の前記推定値は、前記指向性送信／受信アンテナの２つの異なる放射要素で前記移動局（２０〜２３）によって放たれた信号の受信時間の間の時間差に基づくことを特徴とする、請求項２に記載の方法。
【請求項５】
前記複数のセクタ（ｓ１〜ｓ３、ｓ１〜ｓ６）のセクタごとに、その無線カバレージ・セル（ｒ２〜ｒ８）が前記セクタとオーバーラップする前記隣接基地局だけを含むセクタ・リストを判定するステップをさらに含む、請求項１乃至４のいずれか１項に記載の方法。
【請求項６】
各セクタ・リストに含まれる隣接基地局の個数を判定するステップと、
各セクタ・リストの隣接基地局の前記個数のバランスをとるために前記サービング基地局（１）の前記無線カバレージ・セル（ｒ１）を区分するセクタのサイズまたは個数を変更するステップとをさらに含む、請求項５に記載の方法。
【請求項７】
前記サービング基地局（１）の前記無線カバレージ・セル（ｒ１）が複数の指向性送信／受信アンテナの複数の無線カバレージ・ビームに対応し、前記方法は、前記複数の指向性送信／受信アンテナのうちでそれを介して前記移動局（２０〜２３）が通信を実行するアンテナを用いて実行される、請求項１乃至４のいずれか１項に記載の方法。
【請求項８】
請求項１乃至７のいずれか１項に記載の方法を実行するセルラ・ネットワークの基地局（１）であって、
前記移動局（２０〜２３）が配置される現在のセクタ（ｓ１〜ｓ３、ｓ１〜ｓ６）を判定するように適合されたトレーシング手段（１２）と、
無線カバレージ・セル（ｒ２〜ｒ８）が前記現在のセクタ（ｓ１〜ｓ３、ｓ１〜ｓ６）とオーバーラップする前記隣接基地局のみを前記減らされた隣接リスト内に含めるように適合された区分手段（１１、１３）とを含む、基地局（１）。
【請求項９】
請求項５に記載の方法を実行する請求項８に記載の基地局（１）であって、前記区分手段（１１、１３）は、前記複数のセクタ（ｓ１〜ｓ３、ｓ１〜ｓ６）のセクタごとに、その無線カバレージ・セル（ｒ２〜ｒ８）が前記セクタとオーバーラップする前記隣接基地局だけを含むセクタ・リストを判定するようにさらに適合される、基地局（１）。
【請求項１０】
請求項６に記載の方法を実行する請求項９に記載の基地局（１）であって、前記区分手段（１１、１３）は、
各セクタ・リストに含まれる隣接基地局の個数を判定し、
各セクタ・リストの隣接基地局の前記個数のバランスをとるために前記サービング基地局（１）の前記無線カバレージ・セル（ｒ１）を区分するセクタのサイズまたは個数を変更する、ようにさらに適合される、基地局（１）。
【発明の詳細な説明】
【技術分野】
【０００１】
本発明は、全般的には無線通信に関し、具体的には、セルラ・ネットワークのサービング基地局（ｓｅｒｖｉｎｇ  ｂａｓｅ  ｓｔａｔｉｏｎ）から新しい基地局への移動局のハンドオーバを機能強化する方法に関する。本発明は、その方法の実施のための特定の基地局にも関する。
【背景技術】
【０００２】
移動局から実行される通信は、移動局が基地局の無線カバレージ・セル内に配置されていることを暗示する。通信を実行できるようにするために移動局との無線交換を実行する基地局を、一般に、サービング基地局と呼ぶ。
【０００３】
しかし、通信中に、セルラ・ネットワークは、たとえば移動局がサービング基地局によってカバーされる区域の外に出る時に、呼を失うことを避けるために、サービング基地局から新しい基地局への通信の転送を実行しなければならない場合がある。
【０００４】
サービング基地局から新しい基地局への通信のこの自動転送を、ハンドオーバと呼ぶ。
【０００５】
大きいセルに基づくシステムでは、通信中にハンドオーバ・イベントが発生する確率は、低い。しかし、非常に高いスループットを伴って音声通信とデータ通信との両方を伝送するための大容量の達成は、セル・サイズの継続的な縮小を必要としてきた。したがって、１つまたは複数のハンドオーバが、あるユーザによって彼の移動局を介して実行される通信中に発生することが、非常に一般的である。
【０００６】
ハンドオーバは、通信を実行する移動局がサービング基地局の外に出ようとしている時に、または新しい通信を接続するためにサービング基地局に関連するセル内に残っている容量がない場合に、必要である。
【０００７】
より正確には、通信を実行している移動局は、サービング基地局に関連するチャネル条件が満足であるかどうかを判定するために、品質測定および電力測定を周期的に実行する。測定結果は、通信と並列に基地局に送信される。この結果が、伝送の品質が大きく変更されるべきであることまたはサービング基地局に信号を送信するのに多すぎる電力が必要であることを示す場合には、サービング基地局は、移動局に、別の基地局へのハンドオーバを実行させる。
【０００８】
代替案では、サービング基地局は、新しい通信を接続するためにそのサービング基地局に関連するセルに残っている容量がないことを検出することができ、したがって、現在通信を実行するためにその容量を使用しているいくつかの移動局に、新しい基地局へのハンドオーバを実行するように促す。
【０００９】
ハンドオーバは、通常、２つのフェーズを含む。一般にオブザベーション・フェーズ（ｏｂｓｅｒｖａｔｉｏｎ  ｐｈａｓｅ）と呼ばれる第１フェーズは、移動局との通信を継続するために最も適切である、現在のサービング基地局に隣接する基地局を選択するのに使用される。第２フェーズは、選択された基地局に通信を自動的に転送することに存する。
【００１０】
移動局から実行される通信がハンドオーバ中に変更されてはならないという事実は、２つの上の引用されたフェーズが非常に短い遅延で実行されなければならないことにつながる。
【００１１】
オブザベーション・フェーズ中に、移動局は、特定のリストの基地局ごとに、それがその基地局から受信する信号強度を測定する。この特定のリストは、現在は隣接リスト（ｎｅｉｇｈｂｏｒ  ｌｉｓｔ）と呼ばれるが、サービング基地局がオブザベーション・フェーズを実行するように移動局に促す時にサービング基地局によって移動局に送信される。このリストは、そのカバレージ区域がサービング局のカバレージ区域とオーバーラップするすべての隣接基地局を含む。
【００１２】
移動局によって測定される各信号強度は、サービング基地局に送信され、このサービング基地局は、セルラ・ネットワークの他の知識と組み合わせて、移動局によって実行され送信された測定の結果に従って、基地局の中から通信を継続するために最も適合された新しい基地局を選択する。その後、通信は、選択された基地局に自動的に転送される。
【００１３】
新しい基地局の選択は、信号強度測定が正確さを伴って実行される時に容易にされる。
【００１４】
実際に、隣接リストは、そのカバレージがサービング基地局のカバレージ区域とオーバーラップするすべての隣接基地局を含む。その結果、このリストに含まれる局の数は、非常に多くなる場合があり、これは、移動局が多数の信号強度測定を実行することにつながる。これは、特に、セルが小さいサイズを有する都市区域でそうである。
【００１５】
最小値の遅延が、満足な正確さを伴って各信号強度測定を実行するために必要である。その結果、サービング基地局が多数の隣接基地局を有するときには、オブザベーション・フェーズが、正しく実行されるために長い時間を要する可能性がある。
【００１６】
しかし、上で述べたように、オブザベーション・フェーズは、可能な最短の遅延で実行されなければならない。
【００１７】
この状況は、移動局が十分な度合の正確さですべての測定を実行することを可能にするためにオブザベーション・フェーズの遅延を延ばすことまたはより低い正確さの測定から新しい基地局の選択を実行することのいずれかにつながる。両方の代替案が、通信を変更するか失う危険を冒すことなく通信のハンドオーバを保証するのに満足ではない。
【００１８】
国際公開９９／２７６５７号は、請求項１のプリアンブルによる移動局のハンドオーバを機能強化する方法を開示する。
【００１９】
それぞれの基地局の複数の指向性アンテナまたはアンテナ・コンポーネントの使用のおかげで、各セルが複数のセクタ、たとえばパイ・ピースとして配置された３つのセクタに分割されるセルラ・ネットワークに関する米国特許第７０９２７２２号明細書に開示された方法など、他の方法が既知である。
【先行技術文献】
【特許文献】
【００２０】
【特許文献１】国際公開第９９／２７６５７号
【特許文献２】米国特許第７０９２７２２号明細書
【発明の概要】
【発明が解決しようとする課題】
【００２１】
本発明の目的は、移動局が正確な信号強度測定を実行することを可能にしながら短い遅延で移動局のハンドオーバを可能にすることである。
【課題を解決するための手段】
【００２２】
第１の態様では、請求項１に記載のセルラ・ネットワークのサービング基地局から新しい基地局への移動局のハンドオーバを機能強化する方法が提供される。
【００２３】
サービング基地局の無線カバレージ・セルが少なくとも１つの指向性送信／受信アンテナの無線カバレージ・ビームに対応し、無線カバレージ・ビームが主軸に沿って延びるときに、無線カバレージ・ビームは、主軸に沿って前記アンテナに関して同心で延びる一連のリング部分に区分され、無線カバレージ・ビームを区分する複数のセクタの各セクタは、前記リング部分のうちの１つに対応する。
【００２４】
この場合に、現在のセクタは、移動局とアンテナとの間の距離の推定値に基づいて判定される。
【００２５】
代替案では、サービング基地局の無線カバレージ・セルが、少なくとも１つの指向性送信／受信アンテナの無線カバレージ・ビームに対応し、無線カバレージ・ビームが、主軸に沿って延びるときに、無線カバレージ・ビームは、主軸に沿ってアンテナに関して同心で延びる一連のリング部分に区分され、前記無線カバレージ・ビームを区分する複数のセクタの各セクタは、前記主軸に関する前記リング部分のうちの１つの半分の部分に対応する。
【００２６】
この場合に、現在のセクタは、前記移動局と前記アンテナとの間の角度の推定値および距離の推定値に基づいて判定される。
【００２７】
第２の態様では、第１の態様で開示された方法を実行する基地局が提供される。この基地局は、
−その中に前記移動局が配置される現在のセクタを判定するように適合されたトレーシング手段と、
−その無線カバレージ・セルが前記現在のセクタとオーバーラップする隣接基地局のみを前記リスト内に含めるように適合された区分手段と
を含むことを特徴とする。
【００２８】
本発明の特徴および利益は、添付図面を参照する次の詳細な説明からより明白になる。
【図面の簡単な説明】
【００２９】
【図１ａ】本発明の方法に従って複数のセクタに分割された基地局の無線カバレージ・セルの例を概略的に示す図である。
【図１ｂ】本発明の方法に従って複数のセクタに分割された基地局の無線カバレージ・セルの例を概略的に示す図である。
【図２ａ】本発明の方法に従って計算された隣接基地局の関連するリストを、図１ａおよび１ｂに開示されたセクタごとに示す表である。
【図２ｂ】本発明の方法に従って計算された隣接基地局の関連するリストを、図１ａおよび１ｂに開示されたセクタごとに示す表である。
【図３】本発明の方法による、基地局からの移動局のハンドオーバを可能にするための、基地局内に配置される処理コンポーネントおよびその相互作用を概略的に示す図である。
【発明を実施するための形態】
【００３０】
図１ａに示されているように、複数の移動局２０、２１、２２、２３、２４が、基地局１の無線カバレージ・セルｒ１内に配置されている。移動局２０、２１、２２、および２３が、現在は通信しており、その通信が、少なくとも基地局１との無線送信／受信を実行することによって達成されると仮定する。したがって、基地局１は、移動局２０、２１、２２、および２３のサービング基地局と考えられる。
【００３１】
さらに、移動局２０が、移動しつつあり、現在はその通信中に無線カバレージｒ１から出ようとしていると仮定する。したがって、この移動局の、その通信の変更を伴わない、サービング基地１から隣接する基地局のうちの１つへのハンドオーバを可能にすることが必要である。
【００３２】
サービング基地局１から適切な新しい基地局との移動局２０のハンドオーバを可能にするために、サービング基地局１は、隣接基地局を含むリストを移動局２０に送信し、このリストに含まれる各隣接基地局は、サービング基地局１の無線カバレージｒ１とオーバーラップする無線カバレージｒ２、ｒ３、…、ｒ８を有する。したがって、新しい基地局は、移動局２０により実行される測定に従って、このリストに含まれる隣接基地局の中で選択される。
【００３３】
上で既に説明したように、移動局のハンドオーバを可能にする一般に適用される方法は、サービング基地局１のすべての隣接基地局を含む一意のリストを使用する。より正確には、無線カバレージ・セルｒ１から出るすべての移動局は、同一の一意のリストを受信し、すべての隣接基地局との信号強度測定を実行する。
【００３４】
本発明による方法は、サービング基地局１が、移動局の位置に従って複数のリストの中で選択されたリストを送信するという点で、一般に適用される方法とは異なる。
【００３５】
より正確には、図１ａに示されているように、無線カバレージ・セルｒ１は、複数のセクタｓ１、ｓ２、…、ｓ３に分割される。セクタｓ１、ｓ２、ｓ３ごとに、そのセクタ内にサービング基地局１の無線カバレージ・セルｒ１とオーバーラップする無線カバレージ・セルを有する隣接する基地局だけを含むリストが計算される。
【００３６】
リストを移動局に送信する前に、移動局がその中に配置されているセクタが、判定される。次に、サービング基地局は、移動局が配置されているセクタについて計算されたリストを送信する。各計算されたリストは、限られた個数の隣接基地局だけを含むので、移動基地局は、短い時間で満足な正確さを伴って、計算されたリストに含まれる隣接基地局のすべてについて信号強度測定を実行することができる。
【００３７】
図１ａ、１ｂ、２ａ、２ｂ、および３を参照して、無線カバレージ・セルの複数のセクタへの分割、複数のリストの計算、および移動局への複数のリストの中の１つのリストの送信に用いられるさまざまな特徴を、サービング基地局が少なくとも１つの指向性アンテナを含む場合において詳細に述べる。
【００３８】
本発明は、決して、図１および２に明示的に示され本明細書で説明される特定の例の実施形態に限定されない。
【００３９】
図１ａに示されているように、サービング基地局１は、無線通信を送信／受信する少なくとも１つの指向性アンテナ（図示せず）を含み、無線カバレージ・セルｒ１は、指向性アンテナの送信／受信ダイアグラム（ｔｒａｎｓｍｉｓｓｉｏｎ／ｒｅｃｅｐｔｉｏｎ  ｄｉａｇｒａｍ）に対応する。そのような指向性アンテナのダイアグラムは、おおむね、指向性アンテナのメイン・ローブに対応する楕円である。この楕円の主軸は、メイン・ローブの方向に対応する。
【００４０】
図１ａに示されているように、この特定の構成では、基地局１は、無線カバレージ・セルｒ１の中央に配置されるのではなく、指向性アンテナの位置に対応する、楕円の１つの端にある。
【００４１】
この場合には、無線カバレージ・セルｒ１をセクタに分割することは、その中心がサービング基地局１である一連の円ｃ０、ｃ１、…、ｃＮを定義することを含む。一連の円ｃ０、ｃ１、…、ｃＮの各円は、０と、主軸の向きでの指向性アンテナの放送範囲（ｂｒｏａｄｃａｓｔ  ｒａｎｇｅ）に対応する値との間に含まれる半径を有する。
【００４２】
本発明をよりよく理解するために、一連の円の第１の円ｃ０は、０と等しい半径を有し、基地局が配置される点に存すると考えられる。一連の円の最後の円ｃＮは、放送範囲と等しい半径を有する。
【００４３】
各セクタは、楕円と２つの連続する円によって制限されたリングとの交差と定義される区域に対応する。
【００４４】
図１ａに示された特定の例では、一連の４つの円ｃ０、ｃ１、…、ｃ３が定義されており、サービング基地局１の無線カバレージ・セルｒ１は、３つのセクタｓ１、ｓ２、ｓ３に分割されている。
【００４５】
本発明の方法によれば、セクタが定義された後に、セクタごとに、特定のリストが計算される。計算され、１つのセクタに関連付けられる各特定のリストは、このセクタ内でサービング基地局１の無線カバレージ・セルｒ１とオーバーラップする無線カバレージ・セルを有する隣接基地局だけを含む。
【００４６】
図２ａは、それぞれ図１ａに示されたセクタｓ１、ｓ２、およびｓ３に関連する計算されたリストｌ１、ｌ２、およびｌ３を含む表を表す。この表に示されているように、セクタｓ１は、それぞれ無線カバレージ・セルｒ７、ｒ８、およびｒ２に関連する隣接基地局を含むリストｌ１に関連付けられる。というのは、これらの無線カバレージ・セルだけが、セクタｓ１内で無線カバレージ・セルｒ１とオーバーラップするからである。同様に、セクタｓ２に関連するリストｌ２は、それぞれ無線カバレージ・セルｒ６、ｒ７、ｒ２、およびｒ３に関連する４つの隣接基地局を含み、セクタｓ３について計算されたリストｌ３は、その無線カバレージ・セルがそれぞれｒ３、ｒ４、ｒ５、およびｒ６である４つの隣接基地局だけを含む。
【００４７】
有利なことに、サービング基地局１は、セクタが定義された後に異なるリストを計算する責任を負う専用隣接リスト計算モジュール１０を含むことができる。そのようなモジュール１０は、無線ネットワークのトポロジの知識を有することができる。より正確には、隣接リスト計算モジュールを、隣接基地局の位置および隣接基地局内で実施されるアンテナの放送範囲などの地理情報を用いて実施することができる。地理情報に従って、隣接リスト計算モジュール１０は、そのそれぞれの無線カバレージ・セルが特定のセクタ内で無線カバレージ・セルｒ１とオーバーラップする隣接基地局を判定する。
【００４８】
さらに、セクタの個数およびサイズを、サービング基地局１の管理システム（図示せず）によってセットすることができる。セクタの個数を、無線ネットワークの各基地局内で異なるものとすることができる。多数のセクタは、リストあたりの少数の基地局につながる。その結果、移動局がハンドオーバ中に少数の信号強度測定を実行しなければならなくなるように、多数のセクタを定義することがより良い。
【００４９】
図２ａに提示された表に示されているように、２つの異なるリストは、異なる個数の隣接基地局を含むことができ、冗長性が許容される。というのは、ある隣接基地局を２つの異なるリストに含めることができるからである。
【００５０】
有利なことに、セクタの個数およびサイズは、すべてのリストの平均サイズが最小化されるようにセットされる。無線ネットワークのトポロジ（すなわち、隣接基地局の個数および位置）に応じて、セクタを定義するのに使用されるリングが、異なる幅を有することが有利である場合がある（リングの幅は、２つの連続する円の半径の間の差である）。
【００５１】
さらに、最多の個数の隣接基地局を含むリストの隣接基地局の個数と最少の個数の隣接基地局を含むリストの隣接基地局の個数との間の差が最小化されることが有利である場合がある。
【００５２】
セクタのサイズまたは個数の調整は、いくつかのセクタが非常に少数の隣接基地局を含むリストを有するがいくつかの他のセクタが大きいリストを有することを避けることを可能にする。その結果、移動局は、ハンドオーバを実行する時にその移動局がその中に配置されているセクタがどれであれ、ほぼ同一個数の隣接基地局を含むリストを与えられる。
【００５３】
代替案では、セクタの個数またはサイズは、異なるリストの間の冗長性を最小化するようにセットされる。
【００５４】
本発明の方法によれば、サービング局から隣接基地局のうちの１つへの移動局のハンドオーバを可能にするために、移動局がその中に配置されているセクタが、判定され、このセクタに関連するリストが、移動局に送信される。
【００５５】
サービング基地局が、少なくとも指向性アンテナを含む場合には、図１ａによって示された例で既に検討したように、セクタの判定は、移動局とサービング基地局との間の距離を判定することによって実行される。
【００５６】
そのような距離の判定は、サービング基地局１の測定モジュール１１によって、たとえば、基地局を介する通信を実行する時に移動局によって周期的に実行され、送信される電力信号測定の結果を解釈することによって、実行することができる。
【００５７】
測定モジュール１１が、移動局とサービング基地局との間の距離を判定した後に、判定された距離を隣接リスト計算モジュール１２に送ることができ、この隣接リスト計算モジュール１２は、この情報を使用して、移動局がその中に配置されているセクタを識別する。
【００５８】
一実施形態では、判定された距離は、セクタを定義するのに使用された円の異なる半径と比較される。より正確には、判定された距離が、円ｃｉの半径と円ｃｉ＋１の半径との間に含まれるときに、移動局は、楕円と円ｃｉおよびｃｉ＋１によって制限されるリングとの交差に対応するセクタｓ１内に配置されていると考えられる。
【００５９】
代替案では、隣接リスト選択モジュール１０は、まず、セクタごとに、そのセクタを定義するのに使用された連続する円の２つの半径の平均値を計算する。次に、モジュール１０は、判定された距離と各平均値との間の差を計算する。移動局は、その平均値が判定された距離との差を最小にするセクタ内に配置されていると考えられる。
【００６０】
図１ａを参照し、移動局２０、２１、２２、および２３が無線カバレージ・セルｒ１から出ようとしていると仮定する。移動局２０および２１とサービング基地局１との間の距離ｄ２０およびｄ２１は、円ｃ２およびｃ３の半径の間に含まれるので、サービング基地局は、これらの両方がセクタｓ３内に配置されていると判定し、これらにリストｌ３を送信する。次に、移動基地局は、無線カバレージ・セルｒ３、ｒ４、ｒ５、およびｒ６に関連する基地局のみとの信号強度測定を実行する。
【００６１】
逆に、移動局２２および２３は、３つの基地局だけを含むリストｌ１を与えられる。限られた個数の隣接基地局だけが移動局２０、２１、２２、および２３に与えられるので、これらの隣接基地局との強度測定を、手短に満足な正確さを伴って実行することができる。
【００６２】
図１ａに明確に示されているように、そのようなセクタが定義される時に、移動局が、サービング基地局の無線カバレージ・セルから最終的に出る時に移動局がその無線カバレージ・セルの下に配置されている可能性が最も高い基地局だけを含むリストを与えられることに留意されたい。
【００６３】
図１ａおよび２ａを参照して上で説明したように、サービング基地局から同一の距離に配置されたすべての移動局は、隣接基地局の同一のリストを与えられる。
【００６４】
しかし、図１ａに示されているように、移動局２０および２１は、同一のリストｌ３を与えられるが、セクタｓ３内でのそれらのそれぞれの現在位置を考慮すると、通信を継続するためにリストから選択される基地局は異なると、無理なく考えられる。実際に、移動局２０の位置を考慮すると、最も適合された新しい基地局が無線カバレージｒ５に関連する基地局であると考えることができる。逆に、移動局２１によって実行される通信の継続を可能にするために使用される将来の基地局は、間違いなく、無線カバレージｒ３に関連する基地局である。
【００６５】
サービング基地局と移動局２０および２１との間の距離は、ほぼ同一であるが、これらの移動局は、無線カバレージ・セルｒ１の２つの対向する境界に配置されている。移動局２０および２１によって送信され、サービング基地局１のアンテナによって受信される信号の方向の使用は、選択される可能性が最も高い隣接基地局をリストから除去する危険を冒さずに、リストに含まれる隣接基地局の個数を減らすのに役立つはずである。
【００６６】
図１ｂは、図１ａに開示された各セクタが指向性アンテナの送信／受信ダイアグラムの主軸に従って２つのセクタに分割された、図１ａと同一の無線カバレージ・セルを表す。
【００６７】
より正確には、図１ｂに示されているように、セクタは、図１ａを参照する時に定義される交差のうちで、それぞれ指向性アンテナの送信／受信ダイアグラムの主軸の左側および右側に配置された部分に対応する。
【００６８】
したがって、同一の一連の円ｃ０、ｃ１、…、ｃ３を用いて、サービング基地局の無線カバレージ・セルｒ１は、６つのセクタｓ１、ｓ２、…、ｓ６に分割される。
【００６９】
図１ｂによって示されるように、各セクタが主軸の左側または右側だけに配置される場合には、移動局がその中に配置されているセクタの判定は、移動局から送信されサービング基地局によって受信される信号の方向をさらに含む。
【００７０】
その結果、移動局２０および２１は、移動局とサービング基地局との間の距離だけが考慮に入れられる時には同一の初期リストを与えられたが、現在の場合には、２つの異なるリストを提供している。これらの２つの異なるリストは、それぞれ移動局２０および移動局２１が配置されている側に関して主軸の反対側に配置された隣接基地局が除去された初期リストに対応する。
【００７１】
図２ｂは、図１ｂに示されているように、それぞれセクタｓ１からｓ６に関連する計算されたリストｌ１、ｌ２、…、ｌ６を含む表を表す。この表に示されているように、セクタｓ３は、それぞれ無線カバレージ・セルｒ３およびｒ４に関連する隣接基地局を含むリストｌ３に関連する。同様に、セクタｓ４に関連するリストｌ４は、それぞれ無線カバレージ・セルｒ４、ｒ５、およびｒ６に関連する３つの隣接基地局を含む。
【００７２】
無線カバレージ基地局ｒ１が、図１ｂに示された形で分割されるときには、移動局が配置されているセクタの判定は、サービング基地局と移動基地局との間の距離の推定を実行することと、モバイルによって送信されアンテナによって受信される信号の方向の推定を実行することとに存する。
【００７３】
受信信号の方向は、受信信号の方向とアンテナの送信／受信ダイアグラムの主軸の方向との間に存在する角度を判定することによって実行することができる。
【００７４】
アンテナが、ビームフォーミング技法に従って使用することを可能にする複数の送信／受信放射要素に存する場合には、アンテナの２つの異なる放射要素で移動局によって放たれる信号の受信時間の間の時間差の推定によって、角度を計算することができる。
【００７５】
本発明の異なる技術的特徴および利益を、基地局内で実施される一特定の指向性アンテナの送信／受信ダイアグラムを参照して説明したが、本発明は、１つの指向性アンテナだけを使用する基地局に限定されない。実際に、現在使用されている基地局は、バイセクトリアル（ｂｉｓｅｃｔｏｒｉａｌ）またはトライセクトリアル（ｔｒｉｓｅｃｔｏｒｉａｌ）である。これらの基地局は、２つまたは３つの指向性アンテナを用いて実施され、基地局の無線カバレージ・セルは、各指向性アンテナの送信／受信ダイアグラムの和に対応する。基地局の無線カバレージ・セルを分割することは、図１ａおよび１ｂを参照する時に開示されたものに従って、基地局で実施される指向性アンテナのうちの１つにそれぞれ関連する各送信／受信ダイアグラムを分割することに存する。
【００７６】
一般に配置されるプロセスを使用して、位置角と基地局のアンテナからの端末の距離との両方を判定することができる。
【００７７】
他の実施形態では、サービング基地局の無線カバレージ・セルを、無指向性アンテナの送信／受信ダイアグラムに対応するものとすることができる。この場合には、前記複数のセクタのそれぞれは、前記送信／受信ダイアグラムの角度セクタに対応し、前記現在のセクタは、前記移動局と前記無指向性アンテナとの間の角度の推定値に基づいて判定される。
【図２ａ】
0005705135.tif 000002
【図２ｂ】
0005705135.tif 000003
【図３】
0005705135.tif 000004
【図１ａ】
0005705135.tif 000005
【図１ｂ】
0005705135.tif 000006